(57)【要約】【課題】収納スペースを小さく抑えることが可能な芝刈機を提供する。【解決手段】芝刈手段を備えた装置本体１と、該装置本体１に対して回動可能に突出するハンドル部２と、前記装置本体１で刈り取られた芝草を収容する集草かご３とで主体が構成される芝刈機である。集草かご３をハンドル部２と連動するように該ハンドル部２に取り付けた。【選択図】        図１
2004159621.tif 000002
【特許請求の範囲】
【請求項１】
芝刈手段を備えた装置本体と、該装置本体に対して回動可能に突出するハンドル部と、前記装置本体で刈り取られた芝草を収容する集草かごとで主体が構成される芝刈機において、集草かごをハンドル部と連動するように該ハンドル部に取り付けて成ることを特徴とする芝刈機。
【請求項２】
芝刈り時にハンドル部を装置本体に対して後斜め上方に傾斜した所定角度で保持した際に、集草かごが地面に接触しない形状に形成して成ることを特徴とする請求項１記載の芝刈機。
【請求項３】
ハンドル部に、装置本体で刈り取られた芝草を集草かごに搬送するための風洞を設けて成ることを特徴とする請求項１又は２記載の芝刈機。
【請求項４】
ハンドル部の風洞の後側に芝草が飛散するのを防止する飛散防止板を設けて成ることを特徴とする請求項１乃至３のいずれかに記載の芝刈機。
【請求項５】
装置本体の下面部の前側に地面上を滑動可能な支持脚を設けると共に、装置本体の下面部の後側に後輪を設け、装置本体の前記後輪を設けた位置よりも後方にハンドル部の回動支点を設けて成ることを特徴とする請求項１乃至４のいずれかに記載の芝刈機。
【請求項６】
装置本体のハンドル部の回動支点を設けた位置よりも後方の下面部にローラを設けて成ることを特徴とする請求項１乃至５のいずれかに記載の芝刈機。
【発明の詳細な説明】
【０００１】
【発明の属する技術分野】
本発明は、芝刈手段を備えた装置本体と、刈り取られた芝草を収容する集草かごとを具備する芝刈機に関するものである。
【０００２】
【従来の技術】
従来より、芝刈手段を備えた装置本体と、該装置本体に対して回動可能に突出するハンドル部と、前記装置本体で刈り取られた芝草を収容する集草かごとで主体が構成される芝刈機が用いられている（例えば特許文献１，特許文献２参照）。
【０００３】
この特許文献１及び２に示す従来の芝刈機は、芝刈機本体の後部に集草篭を着脱自在に取り付けると共に、芝刈機本体の上面側にハンドルが前後方向に回動自在に連結してある。そして、芝刈り時には、ハンドルを傾倒して芝刈機本体を移動し、収納時にはハンドルを芝刈機本体に対して起立させて収納する。
【０００４】
しかしながらこのような従来の芝刈機にあっては、収納する際、芝刈機本体の後部に取り付けた集草籠が後方に大きく突出するため、収納スペースを大きくとる必要があった。
【０００５】
【特許文献１】
特開２００１−１２８５２８号公報
【特許文献２】
特開２００１−１２８５２９号公報
【０００６】
【発明が解決しようとする課題】
本発明は上記の点に鑑みて発明したものであって、その目的とするところは、収納スペースを小さく抑えることが可能な芝刈機を提供するにある。
【０００７】
【課題を解決するための手段】
上記課題を解決するために本発明にあっては、芝刈手段を備えた装置本体１と、該装置本体１に対して回動可能に突出するハンドル部２と、前記装置本体１で刈り取られた芝草を収容する集草かご３とで主体が構成される芝刈機において、集草かご３をハンドル部２と連動するように該ハンドル部２に取り付けて成ることを特徴とするものである。このような構成とすることで、収納時にハンドル部２を装置本体１に対して起立させた時に、集草かご３がハンドル部２と連動して起立して装置本体１から後方に大きく突出するのを抑えることができて、収納スペースを小さく抑えることが可能となるものである。
【０００８】
また、芝刈り時にハンドル部２を装置本体１に対して後斜め上方に傾斜した所定角度で保持した際に、集草かご３が地面に接触しない形状に形成することが好ましい。このような構成とすることで、芝刈り時にハンドル部２を傾倒しても足下にスペースＳが形成されて、集草かご３に足をぶつけて邪魔になるといったことがないものである。
【０００９】
また、ハンドル部２に、装置本体１で刈り取られた芝草を集草かご３に搬送するための風洞２２を設けることが好ましい。このような構成とすることで、装置本体１の風洞８０と集草かご３内部とを直接連通させなくても装置本体１の風洞８０からハンドル部２の風洞２２を経由して集草かご３に芝草を搬送することができる。
【００１０】
また、ハンドル部２の風洞２２の後側に芝草が飛散するのを防止する飛散防止板２７を設けることが好ましい。このような構成とすることで、集草かご３を取り付けずに芝刈りを行う場合でも芝草が飛散するのを防止することができる。
【００１１】
また、装置本体１の下面部の前側に地面上を滑動可能な支持脚を設けると共に、装置本体１の下面部の後側に後輪６１を設け、装置本体１の前記後輪６１を設けた位置よりも後方にハンドル部２の回動支点を設けることが好ましい。このような構成とすることで、芝刈りを行う際、傾倒したハンドル部２を押すと後輪６１に後方より力がかかって芝刈機の前方への移動をスムーズに行うことができる。
【００１２】
また、装置本体１のハンドル部２の回動支点を設けた位置よりも後方の下面部にローラ６２を設けることが好ましい。このような構成とすることで、ハンドル部２の重みで装置本体１が後ろ側に転倒するのを防止することができる。
【００１３】
【発明の実施の形態】
以下、本発明を添付図面に示す実施形態に基づいて説明する。本実施形態における芝刈機は、図１に示すように、芝刈手段を備えた装置本体１と、この装置本体１に回動自在に設けられるハンドル部２と、芝刈手段で刈り取られた芝草を収容する集草かご３とで主体が構成される。
【００１４】
装置本体１は、図１，図４等に示すように、基台（特に図示せず）に芝刈手段を設けてこれらを外殻となるケーシング１１で覆ったものである。
【００１５】
芝刈手段は、図２に示すように、芝草を刈る刃部４と、刃部４を駆動するための駆動源であるモータ５０及び該モータ５０の駆動力を刃部４に伝達する動力伝達機構５とからなる。
【００１６】
モータ５０は、基台に取り付けられ、その出力軸が動力伝達機構５の駆動プーリ５１を回転駆動する。駆動プーリ５１は、図２に示すように、モータ５０の出力軸に同軸状に固定され、この駆動プーリ５１の回転駆動力は駆動ベルト５２を介して前方に配設してある従動プーリ５３に伝達される。なお後述するが、この駆動プーリ５１には下端部に集草用ファン８２が一体的に形成してある。
【００１７】
従動プーリ５３は、図２に示すように、中間軸５４に同軸状に取り付けられるもので、中間軸５４は、基台に固定された取付板５５にベアリング（特に図示せず）を介して上下方向が軸方向となるように回転自在に設けられる。中間軸５４は軸方向（即ち上下方向）の中央部に従動プーリ５３が固定してあり、中間軸５４の下端部は、外表面にギアＧ１が形成してある。このギアＧ１は、刃部４の可動刃４１が取り付けられる回転部５６の駆動ギアＧ２の溝部５６ａに噛合ってこの回転部５６に回転駆動力を伝達するものである。
【００１８】
回転部５６は、図２に示すように、上下方向を軸方向とする中空軸状のもので、中空となった内部に回転しない固定軸部５７が挿通されてこの固定軸部５７にベアリング等（特に図示せず）を介して回転自在に設けられる。固定軸部５７は、上下方向を軸方向とする中空軸状のもので、回転しないように取付板５５に固定されており、中空となった内部に後述する刈高調節軸７１が上下動自在に挿通されるもので、固定軸部５７の下端部には固定刃４２が取り付けられる。
【００１９】
固定刃４２は、外周縁に櫛状の刃が形成された円盤状のもので、平面視中央部にＤ型をした挿通孔が形成してあり、この挿通孔に固定軸部５７が挿通されて該固定軸部５７に固定される。更に詳述すると、図２に示すように、固定軸部５７の外表面に上記Ｄ型をした挿通孔と嵌合するＤ型をした凸部５８を形成すると共に下端部に雄ねじ部（特に図示せず）形成し、一方、固定刃４２の挿通孔はこの凸部５８と同径かこれより若干大径に形成してあり、固定刃４２の挿通孔を固定軸部５７の凸部５８に下方より被嵌し、下端部の雄ねじ部と螺合するナット５９を下方より締結して固定刃４２を固定軸部５７に固定してある。
【００２０】
このようなモータ５０及び動力伝達機構５にあっては、モータ５０が駆動してモータ５０の出力軸に固定された駆動プーリ５１が回転駆動すると、駆動ベルト５２を介して従動プーリ５３が回転駆動され、従動プーリ５３に固定してある中間軸５４及びギアＧ１が回転してこのギアＧ１に噛合っている駆動ギアＧ２及び回転部５６が回転し、回転部５６の下端部に取り付けられた可動刃４１が回転する。これによって、回転する可動刃４１及び回転しない固定刃４２とで芝草を刈り取ることが可能となる。なお、図２中の９０は、回転部５６の周囲に配設される円筒状をしたガードであり、このガード９０によって刃部４にて刈り取られた芝草が回転部５６に絡み付くのが防止される。
【００２１】
装置本体１には、上述したような芝刈手段を備えたことで芝草を刈り取ることができるが、所望の場所の芝草を所望の状態に刈り取るため、装置本体１には移動手段６及び刈高さ調節手段７、ハンドル部２が設けられる。
【００２２】
移動手段６は、図２に示すように、装置本体１の基台の後部の下面側に設けられる後輪６１と、その更に後方の基台の後端部の下面側に設けられるローラ６２とからなり、これら後輪６１及びローラ６２は装置本体１の基台に回転自在に設けられる。また、装置本体１の前部は、後述する刈高さ調節手段７の支持脚にて支持されるもので、以下に説明する。
【００２３】
刈高さ調節手段７は、刈り取り後の芝草の地面からの高さを所望高さにするため、装置本体１の下面部の前部に位置する刃部４の地面からの高さが決定される支持脚（即ち、刈高調節軸７１）の装置本体１から下方への突出長さを調節可能とするものである。固定軸部５７は、上述したように取付板５５に取り付けられると共に固定刃４２が固定され、固定軸部５７の中空となった内部には、図２に示すように支持脚としての刈高調節軸７１が上下動自在に挿通される。この刈高調節軸７１の下端部には底板部７２が取り付けてある。
【００２４】
底板部７２は、図２に示すように、球面状をしたもので、その下面が地面の芝草上を前後に容易に滑動自在となっている。この底板部７２は、上方に凹となった上面の底部に雌ねじ部７２ａが形成してあり、また刈高調節軸７１の下端部に雄ねじ部７１ａが形成してあって、これら雌ねじ部７２ａと雄ねじ部７１ａとを螺合して刈高調節軸７１に容易に着脱自在としたものである。このように装置本体１にあっては、後側の後輪６１及びローラ６２と、前側の支持脚となる固定軸部５７及び底板部７２とで地面から一定高さに支持された状態となる。
【００２５】
次に、刈高調節軸７１の上下動について説明する。刈高調節軸７１は、上述したように、取付板５５に固定された固定軸部５７の中空となった内部に上下にスライド自在に挿入されており、その上端部は刈高調節メネジ部７３に固定されている。刈高調節メネジ部７３は、図２に示すように上方に開口する略有底円筒状をしたもので、その円筒の内面に雌ねじ部が形成してあり、この雌ねじ部に螺合する雄ねじ部を形成した刈高調節オネジ部７４が上方より螺入される。この刈高調節メネジ部７３は、基台の孔部に上下動自在に挿通されると共に、刈高調節メネジ部７３の外面に形成したリブ７３ｂを前記孔部の縁に形成した切欠に挿入してあって、刈高調節メネジ部７３は回転することなく基台の孔部内を上下することが可能となっている。
【００２６】
刈高調節オネジ部７４は、図２に示すように、外面に刈高調節メネジ部７３の雌ねじ部と螺合する雄ねじ部が螺設された軸又は筒状をしたもので、その上端部が刈高調節操作部７５に固定されて上下高さが一定のまま回転自在に配設してある。刈高調節操作部７５は、使用者が操作可能なように装置本体１のケーシング１１の上側に露出するように配設される円いハンドル状をしたもので、上下動せずに回転のみ自在となるように装置本体１の基台に設けてある。
【００２７】
このような刈高さ調節手段７にあっては、使用者が刈高調節操作部７５を手で回転させると、刈高調節オネジ部７４が上下高さが一定のまま回転し、これによって刈高調節オネジ部７４と螺合している刈高調節メネジ部７３が回転することなく上下動することになり、刈高調節メネジ部７３に固定された刈高調節軸７１及び底板部７２が上下動することとなる。なおこの時、刈高調節オネジ部７４の雄ねじ部と刈高調節メネジ部７３の雌ねじ部を多条ねじとしておくと、小さな回転で刈高調節軸７１を大きく上下動させることが可能となる。
【００２８】
このような装置本体１には、刃部４にて刈り取られた芝草が搬送される風洞８０が形成してある。風洞８０は、図２に示すように、刃部４の上側から後方に向けて形成してあり、後端部に排出口８１が形成されると共に途中に集草用ファン８２が配設される。この集草用ファン８２は、モータ５０の出力軸に固定される駆動プーリ５１に直結してあり、可動刃４１を回転させる際に一緒に回転駆動されて刃部４にて刈り取られた芝草を後方へ搬送する。なお、風洞８０内面にはコーティングを施して芝草が付着し難くして芝草の風洞８０内の詰まりを防止している。
【００２９】
また、集草用ファン８２にて風洞８０の後方に搬送されず前方に飛散した芝草を収容するため、装置本体１の前端部に集草カバー３９が取り付けてある。集草カバー３９は図８に示すようなもので、図１に示すように装置本体１の前面に取り付けられるが、集草カバー３９を装置本体１に取り付けた状態では、図２に示すように集草カバー３９の前端部が刃部４の前端部よりも前方に突出してしまうため、壁際等の芝草を刈るキワ刈リの際には、図９に示すように、集草カバー３９を装置本体１より取り外して後方の集草かご３に取り付けるものである。
【００３０】
次に、刃部４にて刈り取られた芝草を収容するための集草かご３と、この集草かご３が設けられるハンドル部２について説明する。
【００３１】
ハンドル部２は、図１，図４等に示すように、装置本体１に対して回動自在に突出するように設けられる。ハンドル部２の主体を為すハンドル部本体２１は、図１，図４，図５に示すように、内部が芝草の搬送経路となる上下及び背方に開口する略箱状をしたもので、背方の開口に芝草が飛散するのを防止する飛散防止板２７を取り付けてあり、内部を芝草の搬送経路である風洞２２としてある。また、ハンドル部本体２１は、風洞２２の下端（即ち上流側端）及び上端（下流側端）に開口が形成され、下端の開口は装置本体１の風洞８０の排出口８１に連通する下連通口２２ａとすると共に、上端の開口は後述する集草かご３の収容開口３１に連通する上連通口２２ｂとするものである。ハンドル部本体２１の下端部には左右両側にそれぞれ回動軸２３が突設してあり、一方、装置本体１の後端部の排出口８１の近傍には回動軸孔８３が形成してあり、ハンドル部本体２１の回動軸２３を装置本体１の回動軸孔８３に嵌め込んで回動自在に設けてある。
【００３２】
また、ハンドル部本体２１の上端部からは連設部２０が連設してあってその上端部に握り部２４が設けてあり、この握り部２４を握ってハンドル部２を回動させることができ、更に、握り部２４には芝刈手段を駆動する操作部２５が設けてあって、握り部２４を握って芝刈機を移動しながら操作部２５を操作して芝刈手段を駆動して芝刈りを行うことができる。
【００３３】
そして、このようなハンドル部本体２１には、集草かご３が着脱自在に取り付けられる。集草かご３は、図６，図７に示すように、内部に刈り取られた芝草が収容される大略箱状をしたもので、上端部に上述したハンドル部本体２１の上連通口２２ｂに連通する収容開口３１が形成してある。なお、図中の３２は把手を示し、３３は通気孔を、３４はハンドル部本体２１への取付部を示す。
【００３４】
刃部４にて刈り取られた芝草は、装置本体１の風洞８０を搬送されて排出口８１，下連通口２２ａを介してハンドル部本体２１の風洞２２へと入り、この風洞２２の上連通口２２ｂ及び収容開口３１から集草かご３に入って収容される。集草かご３の形状は、図１に示すようにハンドル部２を装置本体１に対して起立させた時に、従来の芝刈機のようには装置本体１から後方に大きく突出しない程度の前後方向厚みとしてあり、また、図３に示すように芝刈り時にハンドル部２を装置本体１に対して傾倒させた際に、地面に接触しないように下端部がハンドル部本体２１の下端部と同じかより上方に位置するようにしてある。
【００３５】
このような芝刈機は、芝刈り時には図３に示すようにハンドル部２を装置本体１に対して傾倒して装置本体１を移動させて使用し、収納時には図１に示すようにハンドル部２を装置本体１に対して起立させて収納する。なお、芝刈り時には、上述したように図３に示すようにハンドル部２を装置本体１に対して後斜め上方に傾倒させるのであるが、このようにハンドル部２を所定角度で保持するため、ハンドル部本体２１の下端部にはストッパー２６が突設してあり、ハンドル部２を傾倒した時に装置本体１の後部外面に当接してハンドル部２のそれ以上の傾倒が阻止される。
【００３６】
上記のように集草かご３を形成してハンドル部２と連動するように該ハンドル部２に取り付けたことで、芝刈り時には図３に示すようにハンドル部２を傾倒しても足下にスペースＳが形成されて、従来の芝刈機のように集草かご３に足をぶつけて邪魔になるといったことがなく、また収納時には図１に示すように、ハンドル部２を起立した際にハンドル部２と連動する集草かご３が装置本体１から後方に大きく突出するのを抑えることができて、収納スペースを小さく抑えることが可能となるものである。
【００３７】
また、本実施形態の芝刈機にあっては、ハンドル部２の回動軸２３が設けられる前後方向位置は、装置本体１に設けた後輪６１の回転中心６１ａよりも後方で且つ、ローラ６２の回転中心６２ａより前方となる位置としてある。このようにすることで、芝刈り時に芝刈機を前方に移動させる際、傾倒したハンドル部２の先端（即ち握り部２４）から根元（即ち回動軸２３）に向けて押すと、後輪６１に後方より力がかかって装置本体１の前側の支持脚である底板部７２と地面間にあまり力がかからないようにすることができ、芝刈機をスムーズに前方に移動させることが可能となる。また、装置本体１には後輪６１よりも後方の部分にハンドル部２の重さかかるが、その更に後方にローラ６２を設けたことで芝刈機が後ろ側に転倒するのを防止することができる。
【００３８】
次に、本発明の芝刈機の他例について図１０に基づいて説明する。なお、この図１０に示す芝刈機は、上例の（即ち図１乃至図９に示す）芝刈機と形状の相違はあるものの主要な構成はほぼ同じであるため、同じ構成については上例と同じ符号を付記して説明を省略し、主に異なる部分について説明する。
【００３９】
図１０に示す本例の芝刈機は、集草用ファン８２に刃８２ａを設けたことに特徴がある。刃８２ａは、図１１に示すように、集草用ファン８２の周端縁の複数箇所に設けてある。
【００４０】
また、本例のものは、図１０に示すように、駆動ギアＧ２にカップリング９１を取り付けると共に、カップリング９２を止輪９５にて可動刃４１に固定し、このカップリング９１，９２を介して駆動ギアＧ２の回転駆動力を可動刃４１に伝達している。更に、固定軸部５７の下端部には、円筒状をして下端縁に鍔部が連設されたフランジ部材９３がナット９４にて締付け固定してあり、このフランジ部材９３の鍔部が固定刃４２の下端部に固定されている。なお、図中の５４ａはベアリングを示す。
【００４１】
本例のように、集草用ファン８２に刃８２ａを設けたことで、刃部４にて刈り取られた芝草を集草ファン８２にて風洞８０の後方へと搬送する際、長い（又は大きい）芝草をこの刃８２ａにて切断して細かくすることができて、集草用ファン８２や回転部５６，駆動ギアＧ２等に絡み付くのを防止することが可能となる。
【００４２】
次に、本発明の芝刈機の更に他例について図１２に基づいて説明する。なお、本例の説明は上例の（即ち図１０に示す）芝刈機と異なる部分についてのみ行う。
【００４３】
図１２に示す本例の芝刈機は、上例の構成に加えて集草用ファン８２の下方に円盤状をした切断刃８４を設けたものである。切断刃８４は、モータ５０の出力軸５０ａを延設してその下端部に取り付けてあり、集草用ファン８２が回転する際に一緒に回転するものである。このようにすることで、刃部４にて刈り取られた芝草を集草ファン８２にて風洞８０の後方へと搬送する際、長い（又は大きい）芝草をこの切断刃８４にて切断して細かくすることができて、集草用ファン８２や回転部５６，駆動ギアＧ２等に絡み付くのを防止することが可能となる。
【００４４】
次に、本発明の芝刈機の更に他例について図１３に基づいて説明する。なお、本例の説明は上例の（即ち図１２に示す）芝刈機と異なる部分についてのみ行う。
【００４５】
図１３に示す本例の芝刈機は、集草用ファン８２の下方に、上例における切断刃８４の代わりに螺旋状の回転体８５を設けたものである。回転体８５は、集草用ファン８２が回転する時に一緒に回転するものである。このようにすることで、刃部４にて刈り取られた芝草を集草ファン８２にて風洞８０の後方へと搬送する際、長い（又は大きい）芝草をこの回転体８５にて集草用ファン８２の方へと搬送することができて、集草用ファン８２や回転部５６，駆動ギアＧ２等に絡み付くのを防止することが可能となる。
【００４６】
次に、本発明の芝刈機の更に他例について図１４に基づいて説明する。なお、本例の説明は、図１０に示す例と異なる部分について行う。
【００４７】
図１４に示す本例の芝刈機は、装置本体１のケーシング１１の刃部４の前方の部分に開口８７を形成すると共に、この開口８７を開閉自在に閉塞する風量調節板８６を設けたものである。風量調節板８６は、ケーシング１１の前面に上下スライド自在に設けてあり、開口８７の上方から該開口８７を所望の量閉塞可能となっている。このようにすると、開口８７の開口量を大きくした場合、密集して束状になった芝草や長い芝草が詰まるのを防止することができ、開口８７の開口量を小さくした場合、開口８７からの空気の吸込み風速が増加して短い芝草等の集草効率が向上する。
【００４８】
次に、本発明の芝刈機の更に他例について図１５に基づいて説明する。なお、本例の説明は上例の（即ち図１４に示す）芝刈機と異なる部分についてのみ行う。
【００４９】
図１５に示す本例の芝刈機は、上例の構成に加えて、開口８７の開口量が大きい時に集草用ファン８２の回転数を増加させる回路ブロック８８が形成してある。
【００５０】
風量調節板８６による開口８７の閉塞が少ない場合、開口量が大きくなって開口８７からの空気の吸込み風速が減少して集草効率が下がるが、この時回路ブロック８８にて集草用ファン８２の回転数が増加するため、集草効率を維持することができる。
【００５１】
次に、本発明の芝刈機の更に他例について図１６に基づいて説明する。なお、本例の説明は上例の（即ち図１５に示す）芝刈機と異なる部分についてのみ行う。
【００５２】
図１６に示す本例の芝刈機は、上例の構成に加えて、集草用ファン８２を可動刃４１を回転駆動させるモータ５０とは別の専用のモータ８９にて回転駆動させ、これらモータ５０とモータ８９とを回路ブロック８８にて制御するようにしてある。
【００５３】
風量調節板８６による開口８７の閉塞が少ない場合、開口量が大きくなって開口８７からの空気の吸込み風速が減少して集草効率が下がるため、回路ブロック８８にて集草用ファン８２の回転数を増加させて集草効率を維持する。この時、集草用ファン８２を可動刃４１を回転駆動させるモータ５０で回転駆動させていると、可動刃４１の回転数も増加して騒音が大きくなってしまうが、このように別のモータ８９で回転駆動することで可動刃４１の回転数が増加せずにすんで騒音が大きくなるのを抑えられる。
【００５４】
【発明の効果】
上述のように請求項１記載の発明にあっては、芝刈手段を備えた装置本体と、該装置本体に対して回動可能に突出するハンドル部と、前記装置本体で刈り取られた芝草を収容する集草かごとで主体が構成される芝刈機において、集草かごをハンドル部と連動するように該ハンドル部に取り付けたので、収納時にハンドル部を装置本体に対して起立させた時に、集草かごがハンドル部と連動して起立して装置本体から後方に大きく突出するのを抑えることができて、収納スペースを小さく抑えることが可能となるものである。
【００５５】
また請求項２記載の発明にあっては、上記請求項１記載の発明の効果に加えて、芝刈り時にハンドル部を装置本体に対して後斜め上方に傾斜した所定角度で保持した際に、集草かごが地面に接触しない形状に形成したので、芝刈り時にハンドル部を傾倒しても足下にスペースが形成されて、集草かごに足をぶつけて邪魔になるといったことがないものである。
【００５６】
また請求項３記載の発明にあっては、上記請求項１又は２記載の発明の効果に加えて、ハンドル部に、装置本体で刈り取られた芝草を集草かごに搬送するための風洞を設けたので、装置本体の風洞と集草かご内部とを直接連通させなくても装置本体の風洞からハンドル部の風洞を経由して集草かごに芝草を搬送することができる。
【００５７】
また請求項４記載の発明にあっては、上記請求項１乃至３記載の発明の効果に加えて、ハンドル部の風洞の後側に芝草が飛散するのを防止する飛散防止板を設けたので、集草かごを取り付けずに芝刈りを行う場合でも芝草が飛散するのを防止することができる。
【００５８】
また請求項５記載の発明にあっては、上記請求項１乃至４記載の発明の効果に加えて、装置本体の下面部の前側に地面上を滑動可能な支持脚を設けると共に、装置本体の下面部の後側に後輪を設け、装置本体の前記後輪を設けた位置よりも後方にハンドル部の回動支点を設けたので、芝刈りを行う際、傾倒したハンドル部を押すと後輪に後方より力がかかって芝刈機の前方への移動をスムーズに行うことができる。
【００５９】
また請求項６記載の発明にあっては、上記請求項１乃至５記載の発明の効果に加えて、装置本体のハンドル部の回動支点を設けた位置よりも後方の下面部にローラを設けたので、ハンドル部の重みで装置本体が後ろ側に転倒するのを防止することができる。
【図面の簡単な説明】
【図１】本発明の一実施形態においてハンドル部を装置本体に対して起立させた状態の側断面図である。
【図２】同上の装置本体の詳細な側断面図である。
【図３】同上の実施形態においてハンドル部を装置本体に対して傾倒させた状態の側断面図である。
【図４】同上の実施形態の全体斜視図である。
【図５】同上の実施形態において集草かごをハンドル部から取り外した状態の背面図である。
【図６】同上の実施形態における集草かごの斜視図である。
【図７】同上の集草かごの斜視図である。
【図８】同上の実施形態における集草カバーを示し、（ａ）は斜視図であり、（ｂ）は平面図である。
【図９】同上の実施形態において集草カバーの集草かごへの取り付けを説明する説明図である。
【図１０】本発明の他例の芝刈機の装置本体の側断面図である。
【図１１】同上の例の集草用ファンの下面図である。
【図１２】本発明の更に他例の芝刈機の装置本体の側断面図である。
【図１３】本発明の更に他例の芝刈機の装置本体の側断面図である。
【図１４】本発明の更に他例の芝刈機の装置本体の側断面図である。
【図１５】本発明の更に他例の芝刈機の装置本体の側断面図である。
【図１６】本発明の更に他例の芝刈機の装置本体の側断面図である。
【符号の説明】
１  装置本体
２  ハンドル部
３  集草かご
【図１】
2004159621.tif 000003
【図２】
2004159621.tif 000004
【図３】
2004159621.tif 000005
【図４】
2004159621.tif 000006
【図５】
2004159621.tif 000007
【図６】
2004159621.tif 000008
【図７】
2004159621.tif 000009
【図８】
2004159621.tif 000010
【図９】
2004159621.tif 000011
【図１０】
2004159621.tif 000012
【図１１】
2004159621.tif 000013
【図１２】
2004159621.tif 000014
【図１３】
2004159621.tif 000015
【図１４】
2004159621.tif 000016
【図１５】
2004159621.tif 000017
【図１６】
2004159621.tif 000018